(57)【要約】【課題】衣料等に装着してテープ留めタイプその他のおむつとは独立して使用できるのみならず、テープ留めタイプその他のおむつに装着して該おむつに依存して使用し両者の吸収能を最大限に利用できるようにした尿とりパッドおよび／または失禁用パッドを提供する。【解決手段】最外層に親水性不繊布を備えた尿とりパッドもしくは失禁用パッドにおいて、そのバックシートに通液開口を形成しうるようにしたことを特徴とする吸収性物品。【選択図】　図５
2004081669.tif 000002
【特許請求の範囲】
【請求項１】
最外層に親水性不繊布を備えた尿とりパッドもしくは失禁用パッドにおいて、そのバックシートに通液開口を形成しうるようにしたことを特徴とする吸収性物品。
【請求項２】
バックシート表面に破断案内線を設け、使用時に尿とりパッドもしくは失禁用パッドの長手方向あるいは巾方向に延伸することにより該バックシートに通液開口を形成させる請求項１記載の吸収性物品。
【請求項３】
破断案内線がハーフカットもしくは熱による脆弱化処理である請求項２記載の吸収性物品。
【請求項４】
バックシートに穿孔処理により配設した開口部を水溶性樹脂により充填もしくは充栓し、使用時に滲出排出液により該水溶性樹脂を溶解して通液開口を形成させることを特徴とする請求項１から３までのいずれか１項記載の吸収性物品。
【請求項５】
バックシートに水溶性樹脂繊維シートをラミネート加工し、このラミネートシートに穿孔処理を施し、生じた穿孔をラミネートされた水溶性樹脂繊維シートで充填している請求項４記載の吸収性物品。
【請求項６】
バックシートに穿孔処理して生じた穿孔を水溶性樹脂製の栓で閉塞した請求項４記載の吸収性物品。
【請求項７】
尿とりパッドもしくは失禁用パッドが、透水性の表面シートと、吸収体と、非透水性バックシートと、親水性不繊布とが順次層成された構成を有している請求項１から６までのいずれか１項記載の吸収性物品。
【請求項８】
吸収体がティシュペーパーその他のキャリアシートで包被されている請求項７記載の吸収性物品。
【請求項９】
親水性不繊布の外側に、吸収性物品本体もしくは衣料に対する固定化手段を有している請求項７または８記載の吸収性物品。
【請求項１０】
尿とりパッドもしくは失禁用パッドがテープ留めタイプその他のおむつと組合わせあるいは組合わせないで用いられる請求項１から９までのいずれか１項記載の吸収性物品。
【発明の詳細な説明】
【０００１】
【発明の属する技術分野】
本発明は尿とりパッドおよび／または失禁用パッドの吸収能の選択的増強改善に関するものである。
【０００２】
【従来の技術】
尿とりパッドは重度失禁者（寝たきり）を対象としてテープ留めタイプおむつとの併用が一般化しているが、その際、テープ留めタイプおむつは単なる使い捨てのおむつカバーとして作用し、本来の機能を充分に果たしているとはいえない。
これに対して、尿とりパッドのバックシートに切り込みを入れてテープ留めタイプおむつに載せて装着し、尿とりパッドの吸収能力を超えて排泄された尿をバックシートから通過させてテープ留めタイプおむつに吸収させる方法も取られている。しかし、介護者が刃物等でバックシートに切れ込みを入れるには手間がかかり、吸収体に損傷を与えて吸収体中の高吸収性ポリマーやパルプ等の飛び出しを招くこともあった。
また、バックシートの通液開口を開閉する手段を設けたものも考案されている（特開２００２−８５４５３）。この際には、剥離層等の部材を設けなければならなかった。
【０００３】
【発明が解決しようとする課題】
衣料等に装着してテープ留めタイプその他のおむつとは独立して使用できるのみならず、テープ留めタイプその他のおむつに装着して該おむつに依存して使用し両者の吸収能を最大限に利用できるようにした尿とりパッドおよび／または失禁用パッドを提供する。
【０００４】
【課題を解決するための手段】
最外層に親水性不繊布を備えた尿とりパッドもしくは失禁用パッドにおいて、そのバックシートに通液開口を形成しうるようにしたことを特徴とする吸収性物品に関する。
【０００５】
本発明は上記の実施においてバックシート表面に破断案内線を設け、使用時に尿とりパッドもしくは失禁用パッドの長手方向あるいは巾方向に延伸することにより該バックシートに通液開口を形成させる吸収性物品を提供する。
上記において破断案内線がハーフカットもしくは熱による脆弱化処理である場合を含んでいる。
【０００６】
また本発明はバックシートに穿孔処理により配設した開口部を水溶性樹脂により充填もしくは充栓し、使用時に滲出排出液により該水溶性樹脂を溶解して通液開口を形成させる吸収性物品を提供する。これらはバックシートに水溶性樹脂繊維性シートをラミネート加工し、このラミネートシートに穿孔処理を施し、生じた穿孔をラミネートされた水溶性樹脂繊維シートで充填しているものでもバックシートに穿孔処理して生じた穿孔を水溶性樹脂製の栓で閉塞したものでもよい。
【０００７】
【作用】
本発明の尿とりパッドもしくは失禁用パッドは透水性の表面シートと、吸収体と、非透水性バックシートと、親水性不繊布とが順次層成された構成を有している。
上記の吸収体がティシュペーパーその他のキャリアシートで包被されている場合も包含する。
【０００８】
また本発明の尿とりパッドもしくは失禁用パッドは親水性不繊布の外側に、吸収性物品本体もしくは衣料に対する固定化手段を有している場合も包含する。
【０００９】
また尿とりパッドもしくは失禁用パッドがテープ留めタイプその他のおむつと組合わせあるいは組合わせないで用いられる場合も包含している。
【００１０】
【実施例】
以下に本発明を実施例によって説明するが、本発明はこれら実施例に限定されるものではない。
【００１１】
［実施例１］
図１のＡはテープ留めタイプおむつを示し、表側の透液性の表面シートと裏側の不透液性のバックシートと、両者の間の吸収体とからなり、図のものでは表面シートの両側に長手方向の立体ギャザー（ａ）（ａ）を立設し、また表面シートの背側両側にはテープ留め用テープ（ｂ）（ｂ）が取付けられ、おしめ装着時にテープ（ｂ）（ｂ）を腹側のバックシート表面上にテープ留めできるように構成されている。
（ｃ）はレッグギャザーを示す。
【００１２】
図１のＢは尿とりパッドを示し、これは矢印で示したようにテープ留めタイプおむつＡの表側の立体ギャザー（ａ）（ａ）間に長手方向に沿って収容、装着される。
【００１３】
この尿とりパッドＢの構成は図３の断面図に示すように吸収性の表面シート（１）と非透液性のバックシート（２）と両者（１）（２）間の吸収体（３）とバックシート（２）の外側の親水性不繊布（４）とから構成され、吸収体（３）はティシュペーパーその他のキャリアシート（５）で包被されている。（６）は尿とりパッドＢをテープ留めタイプおむつＡに着脱可能に装着するための固定化手段を示す。
【００１４】
上記のバックシート（２）の表面には図４に示すように破断案内線（７）を設け尿とりパッドＢをその長手方向あるいは巾方向に延伸することによりスリット状等の開口を形成させるようにしている。外層の不繊布（４）はバックシート（２）の補強の役割も果す。
破断案内線（７）には例えばハーフカット、熱による脆弱化処理等があげられる。
【００１５】
図４の（１）ではバックシート（２）の長手方向端部を前後（背腹）で互い違いに延出（８）させ、両者を矢印に示すように引き伸ばすことで延伸時のせん断力により長手方向に沿って平行に配列した破断案内線（７）に沿い通液開口が生じ易くなる。
図４の（２）ではバックシート（２）の巾方向に沿って配設した破断案内線（７）を矢印に示すようにバックシート（２）の長手方向の延伸により開口させようとする例である。
図４の（３）ではバックシート（２）の巾方向両側に対称的に延出部（８）を設け、これを矢印に示すように引き伸ばすことで長手方向の破断案内線（７）を開口させる例である。
図４の（４）ではバックシート（２）の巾方向両側に互い違いに延出部（８）を形成し、これらを矢印に示すように引き伸ばすことで延伸時のせん断力により巾方向に並設した破断案内線（７）に沿って開口が生じ易くするようにした例である。
【００１６】
バックシート（２）に及ぼされる引張り力および／またはせん断力によって上記の破断案内線（７）に沿って形成される通液開口を示したのが図２の開口配置パターンである。
図２−（１）ではスリット状の開口が断続的に分散されたスリット分散型であり、図２−（２）ではスリットが楕円状に配置された例であり、図２−（３）ではスリットが模様状（図では花弁状）に配置された例である。
【００１７】
［実施例２］
本例はバックシートに対し実施例１とは別の開口処理例を示したものである。
図５−（１）に示すようにバックシート（２）をＰＥフィルム等の不透液性シート（９）およびＰＶＡ繊維シートの如き水溶性繊維シート（１０）とのラミネートフィルムで構成し、このラミネートフィルムに水溶性繊維シート（１０）から不透液性シート（９）側に向けて或いはまた逆向きに吸収体側から不繊布側へ向けてニードルパンチ等で孔径０．５〜１０ｍｍ程度の穿孔（１１）を施す。
更に引続いて図５の（２）に示すように押圧処理、積層処理を行い、穿孔（１１）を水溶性樹脂繊維シート（１０）で充填する。
滲み出た尿等の排泄物により穿孔（１１）を充填している水溶性樹脂が溶解し通液開口を生ずる。
【００１８】
［実施例３］
本例は実施例２の別例を示したもので、図６においてバックシート（２）に不繊布（４）から吸収体（３）の方向に向った或いはまた逆向きに吸収体側から不繊布側に向った穿孔（１１）を施し、この穿孔（１１）に不繊布（４）の側から水溶性樹脂からなる栓（１２）を施す。滲み出た尿等により栓（１２）を形成する水溶性樹脂が溶解し、通液開口を生ずる。
【００１９】
【発明の効果】
従来技術における切り込みを入れる際の吸収体の破損や手間を解決している。
必要に応じて、あるいは尿パッドの吸収が限界に達した時に、開口を通して排泄物がテープ留めタイプおむつへ移行吸収されるので、尿とりパッド＋テープ留めタイプおむつ吸収能を最大限に利用でき、漏れを著しく改善するとともに、夜間などの取り替え回数及び負担を軽減する。
【図面の簡単な説明】
【図１】テープ留めタイプおむつと尿とりパッドとの組合わせ外観図である。
【図２】尿とりパッドのバックシートに形成される開口配置パターンを示し、（１）はスリット分散、（２）は楕円状、（３）は模様状のものを示す。
【図３】尿とりパッドの断面図である。
【図４】（１）（２）（３）（４）はバックシートに施される破断案内線の夫々の例示図である。
【図５】バックシートの別の開口処理例を示し、（１）は穿孔処理、（２）は押圧処理および積層処理を示す。
【図６】図５の別例を示す。
【符号の説明】
Ａ…テープ留めタイプおむつ
Ｂ…尿とりパッド
１…表面シート
２…不透液性バックシート
３…吸収体
４…親水性不繊布
５…キャリアシート
６…固定化手段
７…破断案内線
８…延出部
９…ラミネートフィルムのＰＥフィルム
１０…同上のＰＶＡ繊維シート
１１…穿孔
１２…水溶性樹脂の栓
【図１】
2004081669.tif 000003
【図２】
2004081669.tif 000004
【図３】
2004081669.tif 000005
【図４】
2004081669.tif 000006
【図５】
2004081669.tif 000007
【図６】
2004081669.tif 000008